(57)【要約】【課題】縫合部が損傷しにくく水密性を維持しやすくすることができ、かつ脚特に膝の動きを円滑にすることができるようにした釣り用ウエーダーを提供する。【解決手段】膝前部分を膨らみ曲線とし膝裏部分を凹み曲線として、ウエーダーのズボン前後部に沿うように形成した両側辺部６ａ，６ｂを有する股下内側部７の上方に、前後身頃部８，９を二股状に連続形成した主体地６と、上記股下部位の両側辺部と合致する凹凸曲線の両側辺部１０ａ，１０ｂを有する外側地１０とを縫合乃至接着により連設して、ウエーダーの半身を構成し、連設部の内側にシームテープを接着した。【選択図】図１
2007291559.tif 000002
【特許請求の範囲】
【請求項１】
ウエーダーのズボン部分の少なくとも股下部分を、股内側部と外側部の生地を連設して形成し、股内側中央部付近に縫い目などの連設部を形成しないようにしてなる構成を有する釣り用ウエーダー。
【請求項２】
ウエーダーのズボン部分の少なくとも股下部分を、股内側部と外側部の生地を連設して形成し、股内側中央部付近に縫い目などの連設部を形成しないようにし、かつ該生地は膝部が前屈状態を呈するように裁断した生地をもって連設してなる構成を有する釣り用ウエーダー。
【請求項３】
ウエーダーのズボン部分を、左右２組の生地の組合せとし、１組は、股下内側部の上方に二股状に連続した前後身頃部を有するように裁断してなる主体地と、脚部の外側部を形成し、少なくともその両側辺が上記主体地への連設辺となるように裁断してなる外側地とにより構成してなる請求項１又は２に記載の釣り用ウエーダー。
【請求項４】
ウエーダーのズボン部分を形成する左右２組の生地の１組は、股下内側部を含む主体地の両側辺を、膝前部分を膨らみ曲線とし、膝裏部分を凹み曲線としてズボン前後部に沿うように形成した両側辺部と、その上方に連続する両側辺部とを有して形成し、脚部の外側地の両側辺を、上記股下部位の両側辺部と合致する凹凸曲線の両側辺部を有して形成してなる請求項１〜３のいずれかに記載の釣り用ウエーダー。
【請求項５】
連設部は縫合乃至接着して形成し、その少なくとも内側にシームテープを接着して水密性を維持させてなる請求項１〜４のいずれかに記載の釣り用ウエーダー。
【発明の詳細な説明】
【技術分野】
【０００１】
本発明は、川の中などで釣りをする人が着用する靴とつながった防水ズボンである釣り用ウエーダーに関する。
【背景技術】
【０００２】
ウエーダーは、ズボンとブーツ乃至ソックスを一体的に連設し、防水性と保温性を保たせるようにしており、防水性を維持するべく、両者間などのつなぎ目の接着剤或いは防水シームテープに関する工夫が見られる。生地自体は防水性と保温性とを兼備させるために、発泡ゴム主体材、ナイロンなどのゴム引き布、或いは防水透湿材を複層した生地などが用いられている。また、磨耗度の大きい膝及び膝下部を補強するために、ズボン生地を上下方向に段階的に厚みを変えたものも提供されている。
【発明の開示】
【発明が解決しようとする課題】
【０００３】
しかしながら、ウエーダーは生地が嵩張り、生地の特性とともに、スボンと靴が連続しているため、動きが制約されやすく、特に膝の屈伸に抵抗が生じやすい。また、両脚のズボン同士が擦れやすく、特に股下の脚内側の縫合部が擦れて水密性が損なわれやすいものである。
特に、従来のウエーダーは、左右の前側生地と後側生地とを縫製したことから、ズボン内側（股下内側）とズボン外側の両中央部に縫合部が垂直状に形成され、ヒップ部に膨らみを持たせるものの、股下部は腰部から裾下端に至るまでを垂直に垂下形成してあるため、上記問題が生じやすかった。
【０００４】
本発明は、従来のウエーダーには上記のような問題点が未解決のまま在ることに着眼してなしたものであり、縫合部が損傷しにくく水密性を維持しやすくすることができ、かつ脚特に膝の動きを円滑にすることができるようにしたウエーダーを提供せんとするものである。
【課題を解決するための手段】
【０００５】
上記課題を解決するために、本発明は、ウエーダーのズボン部分の少なくとも股下部分を、股内側部と外側部の生地を連設して形成し、股内側中央部付近に縫い目などの連設部を形成しないようにしてウエーダーを構成したこと、及び、ズボン部分の少なくとも股下部分を、股内側部と外側部の生地を連設して形成し、股内側中央部付近に縫い目などの連設部を形成しないようにし、かつ該生地は膝部が前屈状態を呈するように裁断した生地をもって連設してウエーダーを構成したことを特徴とする。
【０００６】
上記において、ズボン部分は、左右２組の生地の組合せとし、１組は、股下内側部の上方に二股状に連続した前後身頃部を有するように裁断してなる主体地と、脚部の外側部を形成し、少なくともその両側辺が上記主体地への連設辺となるように裁断してなる外側地とにより構成するのが好ましい。
また、上記１組は、股下内側部を含む主体地の両側辺を、膝前部分を膨らみ曲線とし、膝裏部分を凹み曲線としてズボン前後部に沿うように形成した両側辺部と、その上方に連続する両側辺部とを有して形成し、脚部の外側地の両側辺を、上記股下部位の両側辺部と合致する凹凸曲線の両側辺部を有して形成したものとするのが好ましい。
上記連設部は縫合乃至接着して形成し、その少なくとも内側にシームテープを接着して水密性を維持させるようにするのが好ましい。
【発明の効果】
【０００７】
本発明によれば、内股部分に縫合部を形成しないウエーダーとすることができるので、摩擦抵抗が減少して歩行を楽にすることができ、縫合部の磨耗、損傷を生じさせにくくして、水密性の維持を向上させることができ、かつ、ウエーダーは軽く脚を曲げた脚部形態に仕上がっているため、どのような生地で形成してあっても、歩行や脚の屈伸、持続的な前かがみ状態などが楽に行なえるようになり、運動性も向上させることができる。
【発明を実施するための最良の形態】
【０００８】
以下、本発明の一実施形態を図面とともに説明する。
図１〜３はウエーダーの全体図、図４，５は半身部分の裁断生地の形状を示してある。本発明のウエーダーはチェストハイタイプ、ウエストハイタイプ、或いはブーツフットタイプ、ソックスフットタイプなど、各種形態に適用できるものであり、このような形態には制約されない。
【０００９】
図示例はチェストハイウエーダーを示してあり、膝部１を含む股下部２、腰部３、胸部４を一体的に有し、ブーツ部５を連設して形成してある。
【００１０】
このウエーダーは、ズボン部分を、左右２組の生地の組合せとし、１組は、股下内側部７の上方に前後身頃部８，９を二股状に連続させて裁断した主体地６と、脚部の外側部となるように裁断した外側地１０とを縫製乃至接着して連設するようにしてある。これらの生地は、歩行時に膝部１を若干前屈させた状態、すなわち横から見て股下全体が前方に若干曲った「くの字」形態となるように裁断してなる生地を用いている。２組は股から上方の側辺部を互いに連設して一体化される。
これにより、ウエーダーは、ズボンの股下部における連設部１１がズボンの前後中央部付近或いは外側寄り部位に形成され、股下内側部特に内側中央部付近には形成されず、さらに、膝部が若干前屈したズボン形態のものとして構成されるものである。
【００１１】
図４はウエーダーの半身部分の主体地６を、図５は同じく外側地１０を示してある。
この主体地６は、下端部をズボン片脚下端の略々半周分の幅を有し、下端から股下に至る股下部２全体を上方ほど漸次幅広として、ズボンの内側過半部を占める股下内側部７に相当するように形成し、その膝前側となる一側辺６ａは膝部１a付近が前屈状態を呈するように外膨らみ曲線辺として形成し、膝後側となる他側辺６ｂは膝部１b付近が前屈状態を呈するように内凹み曲線辺として形成してある。さらに、ズボンの臀部及びその上方の半身部分を形成可能なように、股下内側部７の上中央部から上方に向かって、Ｕ字状の切欠部１１を前切欠辺１１ａ、後切欠辺１１ｂとにより形成し、切欠部１１の前後側に臀部及びその上方部分の前後身頃部８，９となる生地部を二股状に連続形成してある。
この前後身頃部８，９の各外側辺は、前後から側方に回り、腰部乃至腰部上方において互いに重なって連設できるように、幅広に広がった側辺８ａ、９ａとしてある。
【００１２】
上記外側地１０は、主体地６が未被覆なズボン片脚の下端から股部乃至腰部付近に至る外側部分に相当するように形成し、膝部１a付近が前屈状態を呈するように外膨らみ曲線辺となった膝前側の一側辺１０ａと、膝部１ｂ付近が前屈状態を呈するように内凹み曲線辺となった膝後側の他側辺１０ｂとを有して形成してある。
主体地６と外側地１０は両一側辺６ａ，１０ａ同士を合わせ、他側辺６ｂ、１０ｂ同士を合わせて連設し、前後身頃部８，９は側辺８ａ、９ａ同士を合わせて連設する。連設した半身部分は、左右対称で一対とし、前身頃部の前切欠部１１ａ，１１ａ同士、後身頃部の後切欠部１１ｂ、１１ｂ同士をそれぞれ合わせて連設し、ウエーダーが形成される。
【００１３】
上記において、連設部の内側には、連設した両側生地部に跨るようにして防水機能を奏するシームテープを接着するのがよい。
なお、上記の連設順序は限定されるものではなく、異なる順序であってよい。また、上記構成は一実施例であるので、各部の構成、形状は上記記載に限定されるものではなく変更可能である。
【図面の簡単な説明】
【００１４】
【図１】本発明に係る一例ウエーダーの斜視図である。
【図２】図１のウエーダーの正面図である。
【図３】同じく一部を省略した背面図である。
【図４】図１のウエーダー主体地の展開図である。
【図５】同じく外側地の展開図である。
【符号の説明】
【００１５】
１，１ａ，１ｂ膝部、      ２股下部、      ３腰部、      ４胸部、
５ブーツ部、      ６主体地、      ６ａ一側辺、      ６ｂ他側辺、
７股下内側部、      ８，９前後身頃部、      ８ａ，９ａ側辺、
１０外側地、      １０ａ一側辺、        １０ｂ他側辺、
１１切欠部、      １１ａ前切欠辺、      １１ｂ後
【図１】
2007291559.tif 000003
【図２】
2007291559.tif 000004
【図３】
2007291559.tif 000005
【図４】
2007291559.tif 000006
【図５】
2007291559.tif 000007